(57)【要約】      （修正有）【課題】介護施設を利用する際に普段着の下に着ることができ、患者がズボンの中に手を入れて排泄物を触るのを防ぐようにした介護用つなぎ服を提供する。【解決手段】上半身身頃は肩部２、ボタン４で上部を開閉でき、前後衿ぐり１１はノーカラーで、袖ぐり５はノースリーブで、つなぎ部の左脇側面は脇側面ファスナー７、股下は股下ファスナー８で開閉するように構成する。さらに、左脇側面の上部の脇６を縫いつけ、左脇側面の下部は脇側面ファスナー７を配し、左脇側面下部を開閉可能とし、股下ファスナー８は、右端をファスナー止めで縫いとめ、左端は開けられるようにすることで裾左１０は開閉可能とし、裾右９は開けられない筒状として介護用つなぎ服を形成する。【選択図】図１
0003163246.tif 000002
【実用新案登録請求の範囲】
【請求項１】
上半身身頃は肩部２、ボタン４で上部を開閉でき、前後衿ぐり１１はノーカラーで、袖ぐり５はノースリーブで、つなぎ部の左脇側面は脇側面ファスナー７、股下は股下ファスナー８で開閉するように構成され、つなぎ部の左脇側面の上部の脇６を縫いつけ、左脇側面の下部は脇側面ファスナー７を備え、左脇側面下部を開閉可能とし、股下ファスナー８は、右端をファスナー止めで縫いとめ、左端は開けられるようにすることで裾左１０は開閉可能とし、裾右９は開けられない筒状とすることで、患者の尿パットを容易に取替えられるようにしたことを特徴とする介護用つなぎ服。
【考案の詳細な説明】
【技術分野】
【０００１】    歩行可能な患者がズボンの中に手を入れて排泄物をさわったりすることを防ぐために普段着の下に着ることができ、介護者が着替えさすのが簡単で尿パット交換、作業しやすいように工夫した介護用つなぎ服に関する。
【背景技術】
【０００２】    今までのつなぎ服は、長袖長ズボンで、服の中央にファスナーがあり両足首までＵ型にファスナーで開くものが多く見かけられた。それは寝たきりの患者を対象に作られていたからである。しかし、歩行可能な患者の場合、尿パット交換時や、つなぎ服の一部が汚れた時、患者は立ったまま着替えることも多く、長袖、長ズボンのつなぎ服だと腕や足の部分の脱ぎ着が困難で不便であった。また、着替える回数が増えると、患者の精神的ストレスも増し、また介護者の体力もかなり必要となる。
【先行技術文献】
【特許文献】
【０００３】
【特許文献１】特開平１１−６１５２２公報
【考案の概要】
【考案が解決しようとする課題】
【０００４】  従来の介護用服は次のような課題がある。
１）患者がズボンの中に手を入れ易い。
２）患者が立った状態でトレーニングパンツや尿パット交換ができない。
３）患者が介護用服を普段着の下に着ているとき、介護用服を着替えさせるのが難し        い。
４）普段着の下に介護用服を着ているとかさばる。
５）夜、衣服や寝具がぬれたりするために、着替えや洗濯量が多いことを考慮してい        ない。
【課題を解決するための手段】
【０００５】      患者と介護者の両者の精神的、体力的負担を減らす為、ノースリーブ、短パンツ型の介護用つなぎ服を考案した。患者は普段、普段着を着用しているので、介護用つなぎ服の上から、オールシーズン普段着を着用できるようにしている。【０００６】      上半身身頃は肩部２、ボタン４で上部を開閉でき、前後衿ぐり１１はノーカラーで、袖ぐり５はノースリーブで、つなぎ部の左脇側面は脇側面ファスナー７、股下は股下ファスナー８で開閉するように構成され、つなぎ部の左脇側面の上部の脇６を縫いつけ、左脇側面の下部は脇側面ファスナー７を備え、左脇側面下部を開閉可能とし、股下ファスナー８は、右端をファスナー止めで縫いとめ、左端は開けられるようにすることで裾左１０は開閉可能とし、裾右９は開けられない筒状とすることで、患者の尿パットを容易に取替えられるようにしたことを特徴とする介護用つなぎ服である。
【考案の効果】
【０００７】    １）患者がトレーニングパンツをはいて立ったままの状態で、患者の後ろからスムーズに尿パット交換ができるようにするには、後身頃が後ろに展開されないと替えにくい。本考案の介護用つなぎ服は、側面ファスナーと股下ファスナーによって前後に開放することができるので作業が楽にできる。【０００８】    ２）トレーニングパンツは、ウエストが自由に伸びるので片開きでも簡単に作業できる。患者が着用してから、トレーニングパンツの中に患者の手が入らなくなる。正常に尿パットをつけておけば、尿漏れが少なくなり、衣服、寝具の汚れが減少し、洗濯量も減量できる。
【図面の簡単な説明】
【０００９】
【図１】  本発明の介護用つなぎ服の構成
【図２】  本考案の介護用つなぎ服の使用方法  （Ａ）は介護用つなぎ服を寝ている時の前からの展開状態を示す図  （Ｂ）は介護用つなぎ服を立っている時の後ろからの展開状態を示す図
【考案を実施するための形態】
【００１０】      本考案の介護用つなぎ服は、腰の部分がつなぎになっていて、身体の中央部分にファスナーが無い方が患者がファスナー部分を触りにくくし、両肩にボタンをつけることで着替えが簡単にでき、側面ファスナーと股下ファスナーで腰の部分が前後に開くようにし、ノースリーブでズボン丈を短くすることで着ていてかさばらないようにする。
【００１１】      本考案の介護用つなぎ服の構成を図１に示す。前身頃１は、衿ぐりに前後ダーツを入れて肩部のおさまりを良くした。肩部２は成人の肩幅より短くする。ボタンホール３とボタン４は、前身頃側におさまる位置にする。袖ぐり５はノースリーブにする。脇６は縫う。左側面ファスナー７をつけることで前身頃と後身頃を開きやすくする。股下ファスナー８の右端のみを縫いとめ前身頃、後身頃を開きやすくする。半開きでも作業がしやすい。裾左１０は開く。裾右９はファスナー止めがあるので筒になっている。裾巾はトレーニングパンツや下着の脱着をする時に足を出入りしやすいように巾を広くした。
【００１２】      本考案の介護用つなぎ服の使用方法を図２にしめす。図２の（Ａ）は、患者が寝ている状態で、尿パットを替えるときの、本考案の介護用つなぎ服の使用方法を示す。患者が寝ている状態で、患者の尿パットを替えるときは、脇の側面ファスナー７を開け、股下ファスナー８を開ける、前身頃１を展開し前身頃裏１２の部分を患者の上に置き、介護者が左側面から尿パットを替えることができる。次に脇側面ファスナー７と股下ファスナー８を止める。
【００１３】      図２の（Ｂ）は、患者が立っている状態で、尿パットを替えるときに、本考案の介護用つなぎ服の使用方法を示す。患者の後ろから脇側面ファスナー７を開ける。股下ファスナ−８を開ける。展開した後身頃裏１４２を洗濯バサミで服に止めて患者の後からトレーニングパンツの中に右手を入れて尿パットを替える。前から左手入れて尿パットを正常位置につける。次に脇側面ファスナー７と股下ファスナー８を止める。
【００１４】      次に、トレーニングパンツと介護用つなぎ服を着替える時の本考案の介護用つなぎ服の使用方法をしめす。介護者が患者の服の中に手を入れて両肩のボタン４をはずし、介護用つなぎ服の前身頃１、後身頃１４を引張って腰の部分まで下げると、ズボン、介護用つなぎ服、下着（パッチ）共に脱ぐことができる。次にトレーニングパンツ、下着（パッチ）、介護用つなぎ服、ズボンを患者にはかして服の中に手を入れて両肩のボタン４を止める。
【００１５】      以下、本考案した介護用つなぎ服の患者が着てショートステイに出かける時の実施例をしめす。普段着の下に介護用つなぎ服を着ているので外見は着ていることがわからなく、家族の精神的に違和感がなく送り出せる。施設側においてはショートステイ中いつも手が清潔に保たれ、従来は、介護師２名で作業されていた尿パット交換も一人でスムーズにできる。衿ぐりについては施設利用の際に名前を書かなければいけないので見返しの部分は白バイヤステープで縫うことができ、表から見えない見返し部分に名前が書ける。
【００１６】      次に、考案した介護用つなぎ服を患者が着て家庭で介護するときの実施例を示す。特に介護者が一人の場合でも図２（Ａ）（Ｂ）のようにいろいろな場面において作業がスムーズに行うことができる。ファスナーが側面についているので患者がファスナーをいたずらできなく、ズボンの中に手が入らなく、手がいつも清潔に保たれる。患者の腰の部分が尿や便で汚れることが多くあったが、皮膚を清潔に保つことができる。夜間衣服や寝具がぬれなくなったことで洗濯量が減量した。介護者の精神的な負担が少なくなったので安心して生活できる。
【符号の説明】
【００１７】  １  前身頃
１２  前身頃裏
２  肩部
３  ボタンホール
４  ボタン
５  袖ぐり
６  脇
７  脇側面ファスナー
８  股下ファスナー
９  裾右
１０  裾左
１１  前後衿ぐり
１２  後身頃ダーツ
１３  前身頃ダーツ
１４  後身頃
１４２  後身頃裏
【図１】
0003163246.tif 000003
【図２】
0003163246.tif 000004